(57)【要約】【課題】装置構成を複雑化することなく、折畳紙などの連続紙を簡単かつ良好にセットすることができるレコーダーを提供すること。【解決手段】給紙口４４から印刷部までの搬送経路において記録紙の第１面に当接して記録紙をガイドする第１ガイド部４８と、第１ガイド部４８の下方でかつ給紙口４４の近傍に設けられ、搬送経路において記録紙の第２面に当接して記録紙をガイドする第２ガイド部５０と、を設けた。そして、記録紙が第２ガイド部５０との当接によって第１面側に張り出しかつ第１ガイド部４８との当接によって第２面側に張り出すように、第１及び第２ガイド部４８、５０を配置した。【選択図】図２
2015110467.tif 000002
【特許請求の範囲】
【請求項１】
記録紙への印刷を行う印刷部と、
前記印刷部の下方に設けられた給紙口と、
前記給紙口から前記印刷部までの前記記録紙の搬送経路において前記記録紙の第１面に当接して前記記録紙をガイドする第１ガイド部と、
前記第１ガイド部の下方でかつ前記給紙口の近傍に設けられ、前記搬送経路において前記記録紙の第２面に当接して前記記録紙をガイドする第２ガイド部と、
を有し、
前記第１及び第２ガイド部は、前記記録紙が前記第２ガイド部との当接によって前記第１面側に張り出しかつ前記第１ガイド部との当接によって前記第２面側に張り出すように、配置されている、
レコーダー。
【請求項２】
前記印刷部は、印刷ヘッドと、プラテンローラーとを有し、
前記記録紙は、前記プラテンローラーの駆動力によって前記給紙口から前記印刷部まで搬送される、
請求項１に記載のレコーダー。
【請求項３】
前記第２ガイド部は、前記記録紙の幅方向へのずれを防ぐガイドリブを有する、
請求項１又は請求項２に記載のレコーダー。
【請求項４】
前記第２ガイド部は、透明部材でなる、
請求項１から請求項３のいずれか一項に記載のレコーダー。
【請求項５】
ロール紙を収容するロール紙収容空間を有し、
前記第１及び第２ガイド部は、前記ロール紙収容空間を避けた位置に設けられている、
請求項１から請求項４のいずれか一項に記載のレコーダー。
【請求項６】
前記記録紙は、少なくとも、前記給紙口から前記印刷部までの長さ有する連続紙である、
請求項１から請求項５のいずれか一項に記載のレコーダー。
【発明の詳細な説明】
【技術分野】
【０００１】
本発明は、連続紙を用いるレコーダーに関する。
【背景技術】
【０００２】
従来、例えば心電計においては、レコーダーが一体に設けられ、計測結果を記録紙に記録できるようになされたものがある（例えば特許文献１参照）。心電計のレコーダー（以下、単にレコーダーと呼ぶ）には、通常、記録紙として折畳紙やロール紙などの連続紙が用いられている。
【０００３】
ロール紙を用いる場合には、ロール紙全体はレコーダー内の所定位置に収容してセットされる。一方、折畳紙を用いる場合には、折畳紙全体はレコーダーの外に置かれ、折畳紙の一端がレコーダーの下面又は側面の給紙口からレコーダー内に引き込まれてセットされる。
【先行技術文献】
【特許文献】
【０００４】
【特許文献１】特開平９−３０９２３７号公報
【発明の概要】
【発明が解決しようとする課題】
【０００５】
ところで、折畳紙をレコーダーの所定位置に引き込むセット作業は、印刷に先立って、ユーザーによる手作業によって行われる。このセット作業は、先ず、ユーザーがレコーダーの下面に設けられた給紙口からレコーダー内部へと折畳紙を差し込み、次に、ユーザーが折畳紙の一端を手で持って折畳紙を印刷位置に配し、最後に、印刷位置に折畳紙をプラテンローラーとサーマルヘッドとによって挟持させる、といった手順で行われる。このセット作業は、印刷中のジャムを防ぐため、搬送経路内で折畳紙が大きく撓んだり、搬送経路からずれることがないように行う必要がある。
【０００６】
一般に、印刷専用のプリンターやコピー機などでは、多数のローラーが設けられており、これらのローラーによって、印刷位置までの用紙のセット作業が自動的に行われ、用紙のテンションも好適に維持される。
【０００７】
しかし、心電計などの医療機器に一体的に設けられるレコーダーは、上記のような専用機とは異なり、被検者の近くまで持ち運ぶことが要求され、さらに被検者の近くで用いられるので、小型、軽量な装置構成でかつ静音性に優れていることが求められる。
【０００８】
本発明は、以上の点を考慮してなされたものであり、装置構成を複雑化することなく、折畳紙などの連続紙を簡単かつ良好にセットすることができるレコーダーを提供する。
【課題を解決するための手段】
【０００９】
本発明のレコーダーの一つの態様は、
記録紙への印刷を行う印刷部と、
前記印刷部の下方に設けられた給紙口と、
前記給紙口から前記印刷部までの前記記録紙の搬送経路において前記記録紙の第１面に当接して前記記録紙をガイドする第１ガイド部と、
前記第１ガイド部の下方でかつ前記給紙口の近傍に設けられ、前記搬送経路において前記記録紙の第２面に当接して前記記録紙をガイドする第２ガイド部と、
を有し、
前記第１及び第２ガイド部は、前記記録紙が前記第２ガイド部との当接によって前記第１面側に張り出しかつ前記第１ガイド部との当接によって前記第２面側に張り出すように、配置されている。
【発明の効果】
【００１０】
本発明によれば、テンションローラ等の付属のローラー等を用いなくても記録紙にテンションを付与することができ、かつ記録紙セット作業時にも記録紙を下方に脱落させることなく自立させることができる。この結果、装置構成を複雑化することなく、折畳紙などの連続紙を簡単かつ良好にセットすることができるようになる。
【図面の簡単な説明】
【００１１】
【図１】実施の形態に係る心電計の外観構成を示す上面図
【図２】レコーダーの構成を示す断面図
【図３】レコーダーの構成を示す断面図
【図４】第２ガイド部の構成を示す斜視図
【図５】第２ガイド部の構成を示す斜視図
【図６】専用台車の外観構成を示す側面図
【発明を実施するための形態】
【００１２】
以下、本発明の実施の形態について、図面を参照して詳細に説明する。
【００１３】
図１は、本発明の実施の形態に係る心電計の外観構成を示す上面である。図２は、図１の心電計のレコーダー部のＡ−Ａ’断面である。図２中の一点鎖線の矢印は、印刷時における記録紙の搬送経路を示す。
【００１４】
図１に示すように、心電計１０は、タッチパネル２０と、操作ボタン群３０と、レコーダー４０と、を有する。また、心電計１０は、心電用電極などを接続するためのインターフェース部（図示せず）、及び、演算や動作制御を行う制御部（図示せず）などを有する。タッチパネル２０には、計測結果である心電波形が表示される。また、タッチパネル２０には各種設定画面や動作メニュー画面が表示され、ユーザーはタッチパネル２０を用いて各種設定や動作指示を行うことができる。操作ボタン群３０には、電源スイッチ、スタート／ストップスイッチなどが含まれる。
【００１５】
レコーダー４０は、タッチパネル２０、操作ボタン群３０及び制御部（図示せず）などからなる心電計本体に一体的に設けられている。レコーダー４０は、ユーザーによってタッチパネル又は操作ボタン群により印刷操作が行われると、所定の記録紙に心電波形を印刷する。
【００１６】
図１に示すように、レコーダー４０の上面には、印刷後の記録紙が排出される排出口４１と、ケース４２と、開ボタン４３と、が設けられている。ケース４２は、ユーザーによって開ボタン４３が操作されると、図３に示すように、断面Ｌ字状のケース４２の排出口４１側の一端が上方に跳ね上がって開状態となる。また、ケース４２には、プラテンローラー４５及び用紙規制部材４６が取り付けられており、ケース４２が開状態となると、プラテンローラー４５及び用紙規制部材４６もケース４２と一緒に記録紙から離れる方向に移動する。
【００１７】
また、レコーダー４０には、ロール紙取付部４７が設けられており、このロール紙取付部４７にロール紙を回転自在に取り付けることができる。さらに、レコーダー４０の下面及び側面には、レコーダー４０内に記録紙を導入するための給紙口４４、４９が形成されている。
【００１８】
プラテンローラー４５に対向する位置にはサーマルヘッド６０が設けられており、印刷時にはプラテンローラー４５とサーマルヘッド６０との間に記録紙が挟持され、その状態でプラテンローラー４５が回転しかつサーマルヘッド６０が動作することにより、記録紙に心電波形などが印刷される。
【００１９】
プラテンローラー４５及びサーマルヘッド６０から構成される印刷部の下方位置には、第１ガイド部４８が設けられている。第１ガイド部４８は、記録紙の幅方向（プラテンローラー４５の軸方向と言ってもよい）に延在した部材であり、印刷部の方向に搬送される記録紙をガイドする。この第１ガイド部４８は、記録紙との当接面がプラテンローラー４５を挟んで印刷部のニップ部Ｎ１とは逆側になるような位置に配置されている。図２の例の場合には、ニップ部Ｎ１がプラテンローラー４５の右側となっているので、第１ガイド部４８は、記録紙との当接面がプラテンローラー４５よりも左側となる位置に配置されている。
【００２０】
第１ガイド部４８の下方でかつ給紙口４４の近傍には、第２ガイド部５０が設けられている。第２ガイド部５０は、記録紙の幅方向（プラテンローラー４５の軸方向と言ってもよい）に延在した部材であり、第１ガイド部４８の方向に搬送される記録紙をガイドする。
【００２１】
図４及び図５は、第２ガイド部５０を示す斜視図である。図４は第２ガイド部５０を斜め上方向から見た斜視図であり、図５は第２ガイド部５０を斜め下方向から見た斜視図である。
【００２２】
第２ガイド部５０の下面には、レコーダー４０の給紙口４４とほぼ同じ大きさであり、給紙口４９に連通する給紙口５１が形成されている。また、第２ガイド部５０の立ち上がり部には、記録紙が当接する曲面５２が形成されている。さらに、第２ガイド部５０の立ち上がり部の両端位置には、ガイドリブ５３が形成されている。
【００２３】
第２ガイド部５０は、図２で見た場合に、記録紙との当接面（つまり曲面５２の記録紙との当接面）が第１ガイド部４８の記録紙との当接面よりも右側となるような位置に配置されている。これにより、図２中の一点鎖線の矢印からも分かるように、給紙口４４からレコーダー４０内に導入された記録紙は、先ず第２ガイド部５０によって右方向に付勢され、次に第１ガイド部４８によって左方向に付勢された後に、プラテンローラー４５とサーマルヘッド６０との間のニップ部Ｎ１に到達するようになる。
【００２４】
このように、本実施の形態においては、給紙口４４から印刷部までの搬送経路において記録紙の第１面に当接して記録紙をガイドする第１ガイド部４８と、第１ガイド部４８の下方でかつ給紙口４４の近傍に設けられ、搬送経路において記録紙の第２面に当接して記録紙をガイドする第２ガイド部５０と、を設けた。そして、記録紙が第２ガイド部５０との当接によって第１面側に張り出しかつ第１ガイド部４８との当接によって第２面側に張り出すように、第１及び第２ガイド部４８、５０を配置した。これにより、第１及び第２ガイド部４８、５０によってジグザグ（またはほぼＳ字形状と言ってもよい）の搬送経路を形成するようにした。このようにしたことで、プラテンローラー４５によって引っ張られた記録紙が搬送経路全体において張力を得ることができ、搬送経路での記録紙の撓みを低減できる。
【００２５】
また、記録紙は、第２ガイド部５０に形成されたガイドリブ５３の内側に当接し、これにより幅方向への蛇行が防止される。特に、本実施の形態では、記録紙は張力がかかった状態でガイドリブ５３に当接するので、ガイドリブ５３による蛇行の抑制効果を高めることができる。
【００２６】
次に、レコーダー４０への記録紙のセットについて説明する。記録紙のセットのケースには３つのケースがある。
【００２７】
第１のケースは、レコーダー４０の下面の給紙口４４から折畳紙等の連続紙を導入してセットするケースである。このケースでは、一般に、図６に示すような専用台車１００が用いられる。専用台車１００を用いたこのようなケースは、病院などの専門施設での検査時に行われることが多く、専用台車１００に載置した心電計１０を患者のベッドサイドに移動させて検査を行うことができる。
【００２８】
第２のケースは、レコーダー４０の側面の給紙口４９から折畳紙等の連続紙又はＡ４サイズの用紙等を導入してセットするケースである。このケースは、図６のような専用台車１００を使わずにテーブルの上に心電計を直接置いて、その横に記録紙を置く場合である。このケースは、病院などの専用施設以外での健康診断などで行われることが多い。
【００２９】
第３のケースは、ロール紙取付部４７にロール紙をセットして用いるケースである。
【００３０】
本実施の形態のレコーダー４０の構成は、特に上記第１のケースつまりレコーダー４０の下面の給紙口４４から折畳紙等の連続紙を導入してセットするケースに用いる場合に効果が得られるので、上記第１のケースについて以下で詳しく説明する。
【００３１】
心電計は、図６に示すような専用台車１００の載置台１０１に載置される。載置台１０１の下側には折畳紙１０３を収容する収容棚１０２が設けられている。載置台１０１には記録紙の幅よりも若干大きな通紙口１０４が形成されており、収容棚１０２に収容された折畳紙１０３はこの通紙口１０４を介してレコーダー４０の給紙口４４に導入される。
【００３２】
記録紙のセット時には、ユーザーが、図３に示すようにケース４２を開けた状態で、折畳紙の一端を給紙口４４から差し込んで、折畳紙の一端が第１ガイド部４８を超えた位置に到達するまで折畳紙を給紙口４４の下方から押し込む。次に、その状態で一旦手を離して、折畳紙を装置の上側から持ち直して折畳紙の一端を印刷位置にセットする。そして、その状態でケース４２を閉じることにより、プラテンローラー４５とサーマルヘッド６０との間に折畳紙が挟持され、セット作業が完了する。
【００３３】
ここで、本実施の形態においては、第１及び第２ガイド部４８、５０によってジグザグ（またはほぼＳ字形状と言ってもよい）の搬送経路が形成されていることにより、折畳紙を第１ガイド部４８を超えた位置まで差し込んだ状態で、折畳紙を持ち直すために折畳紙から手を離しても、折畳紙は下方に落ちることなくその位置で自立する。因みに、折畳紙が搬送経路の下方に落下してしまうと、再度折畳紙を搬送経路に配置するための煩雑なやり直し作業が必要となる。本実施の形態の構成によれば、ユーザーが折畳紙から手を離しもこのようなやり直し作業をしなくて済むので、折畳紙のセットに不慣れなユーザーであっても簡単にセット作業を行うことができる。
【００３４】
また、本実施の形態の第２ガイド部５０は、透明な部材により形成されている。これにより、セット作業時に、ユーザーは第２ガイド部５０を介して第２ガイド部５０の向こう側にある記録紙及び各部材の位置を把握できるようになるので、セット作業を行い易くなる。
【００３５】
以上説明したように、本実施の形態によれば、記録紙が第２ガイド部５０との当接によって記録紙の第１面側に張り出しかつ第１ガイド部４８との当接によって記録紙の第２面側に張り出すように、第１及び第２ガイド部４８、５０を配置したことにより、プラテンローラー４５とガイド部４８、５０のみで、つまりテンションローラ等の付属のローラー等を用いなくても記録紙にテンションを付与することができ、かつ記録紙セット作業時にも２つのガイド部４８、５０によって記録紙を下方に脱落させることなく自立させることができるようになる。この結果、装置構成を複雑化することなく、折畳紙などの連続紙を簡単かつ良好にセットすることができるレコーダー４０を実現できる。
【００３６】
また、第２ガイド部５０にガイドリブ５３を設けたことにより、搬送経路での記録紙の蛇行を未然に防ぐことができるので、印刷ジャムなどを防止できる。特に、実施の形態のように記録紙として連続紙を用いる場合には、Ａ４サイズの用紙等のように用紙を１枚１枚搬送する場合と比較して、搬送経路において一旦蛇行し始めると、その影響が大きくなり、下流側では蛇行量が増幅する欠点がある。本実施の形態のレコーダー４０はガイドリブ５３によってこのような連続紙を用いた場合の欠点を克服して、印刷ジャムを防止できる。
【００３７】
さらに、レコーダー４０においては、第１及び第２ガイド部４８、５０が、ロール紙を収容するための空間を避けた位置に設けられている。これにより、ロール紙を収容したままで、下面の給紙口４４から記録紙を導入して印刷を行うことができる。
【００３８】
なお、上述の実施の形態では、本発明のレコーダーを、心電計に一体的に設けられたレコーダーに適用した場合について述べたが、これに限らず、装置の下部の給紙口から連続紙を導入するレコーダーに用いた場合に広く適用可能であり、上述の実施の形態と同様の効果を得ることができる。特に、医療現場での記録は、任意長さの記録が必要となることが多いので、連続紙が用いられる場合が多い。
【００３９】
上述の実施の形態は、本発明を実施するにあたっての具体化の一例を示したものに過ぎず、これらによって本発明の技術的範囲が限定的に解釈されてはならないものである。すなわち、本発明はその要旨、またはその主要な特徴から逸脱することなく、様々な形で実施することができる。
【産業上の利用可能性】
【００４０】
本発明は、装置の下部の給紙口から連続紙を導入するレコーダーに広く適用できる。
【符号の説明】
【００４１】
１０  心電計
２０  タッチパネル
３０  操作ボタン群
４０  レコーダー
４１  排出口
４２  ケース
４３  開ボタン
４４、４９、５１  給紙口
４５  プラテンローラー
４６  用紙規制部材
４７  ロール紙取付部
４８  第１ガイド部
５０  第２ガイド部
５２  曲面
５３  ガイドリブ
６０  サーマルヘッド
１００  専用台車
【図１】
2015110467.tif 000003
【図２】
2015110467.tif 000004
【図３】
2015110467.tif 000005
【図４】
2015110467.tif 000006
【図５】
2015110467.tif 000007
【図６】
2015110467.tif 000008